(57)【要約】【課題】油が間欠に流れた場合、フロートの戻りが慣性力により戻るため、間欠の間隔が短くなるにつれて初期位置まで戻らないといった問題がある。【解決手段】オイル入口１とオイル出口２とを連通する管路３内に遊動自在に配置されたフロート４と、該フロート４のストローク長を一定に保持するためのストッパ機構５とを備える。ストッパ機構５は、フロート４のストローク長を規制せしめるフロート戻しバネと、その下位にストローク規制用ストッパ６とを備え、オイル出口２の近傍に同オイル出口２よりも大径に開口されたバイパス管８を連通せしめる。従って、安定してフロート４を動作させると共に、油の吐出量が多い場合若しくは粘度が高い場合など、出口の穴径が大きい方のバイパス管８に油が流れるため、如何なる吐出量であってもストローク長を一定に保つことができる。【選択図】  図４
2008298440.tif 000002
【特許請求の範囲】
【請求項１】
オイル入口とオイル出口とを連通する管路と、該管路内に遊動自在に配置されたフロートとを備えてなるオイルフィードモニタにおいて、前記フロートのストローク長を一定に保持するためのストッパ機構を設けたことを特徴とするオイルフィードモニタ。
【請求項２】
前記ストッパ機構は、フロートのストローク長を規制せしめるフロート戻しバネ及び／又はストローク規制用ストッパ若しくはフロート調整カラーであることを特徴とする請求項１に記載のオイルフィードモニタ。  
【請求項３】
前記管路は、オイル出口の近傍に同オイル出口よりも大径に開口されて余剰な油若しくは粘度のある油を排出せしめるバイパス管を設けたことを特徴とする請求項１に記載のオイルフィードモニタ。
【発明の詳細な説明】
【技術分野】
【０００１】
本発明は、吐出量が可変してもフロートのストローク長を一定に保つことができると共に、フロートをセンシングする際、センシングポイントの調整が不要になる有用なオイルフィードモニタに関する。
【背景技術】
【０００２】
従来、斯かるオイルフィードモニタとしては、例えば、油の流れを確認する方法として、油が流れる管路に流量計の構造を利用しフロートなる構造物の動作にて確認を行い、尚且つ、そのフロートをセンシングしている。構造としては、油の流れによりフロートが上がり流れが無くなったらフロートが下がるシステムになっている（例えば、特許文献1参照）。
【特許文献１】特開２００２−２５７２９４号公報
【発明の開示】
【発明が解決しようとする課題】
【０００３】
しかしながら、上述のような従来のオイルフィードモニタでは、油が連続に流れる場合は問題ないが、間欠に流れた場合、フロートの戻りが慣性力により戻るため、間欠の間隔が短くなるにつれて初期位置まで戻らない状態になってしまうといった問題がある。
【０００４】
また、油の吐出量が多い場合、フロートにかかる抵抗が大きくなり戻りが遅れるなど影響があると共に、油の吐出量によりフロートの動作距離が変わり、センシングポイントを油の吐出量によりその都度変更しなければならないといった不都合をも生じている。
【０００５】
しかも、潤滑装置（ポンプ）の油の吐出量は様々であり、吐出量が小さい場合はフロートのストローク長も短くなり、逆に吐出量が多い場合はストローク長が長くなってしまうのが常套である。
【０００６】
ここで、ストローク長が長い場合（吐出量が多い時）、フロートが一往復するストローク長の時間も長くなり、油の吐出を間欠制御する場合、間欠する時間が短くなるにつれて、フロートが元の位置まで戻れなくなる結果、１サイクル毎に、フロートが同期しなくなるといった問題がある。
【０００７】
また、オイル出口は、通常、小さい穴径で一箇所のため、油がフロートの隙間を通り出口に流れきるのに時間を要し、フロートは油が流れ終わらないと元の位置にまで戻ってこなくなり、特に、油の粘度が高い（硬い油）時はこの影響を受けてしまうといった問題がある。
【０００８】
本発明は斯かる問題点に鑑みてなされたもので、吐出量が可変しても、フロートのストローク長を一定に保つことができると共に、フロートをセンシングする際、センシングポイントの調整も不要になる有用なオイルフィードモニタを提供することを目的としたものである。
【課題を解決するための手段】
【０００９】
上記目的を達成するために、本発明のオイルフィードモニタは、オイル入口とオイル出口とを連通する管路と、該管路内に遊動自在に配置されたフロートとを備えたオイルフィードモニタにおいて、前記フロートの動作距離を一定に保持するためのストッパ機構を設けたオイルフィードモニタに存する。
【００１０】
また、前記ストッパ機構は、フロートのストローク長を規制せしめるフロート戻しバネ及び／又はストローク規制用ストッパ若しくはフロート調整カラーであるのが良い。
【００１１】
更に、オイル出口の近傍に同オイル出口よりも大径に開口されて余剰な油若しくは粘度のある油を排出せしめるバイパス管を設けても良い。
【発明の効果】
【００１２】
本発明のオイルフィードモニタでは、前記フロートの動作距離を一定に保持するためのストッパ機構を設けたことによって、仮令、吐出量が可変しても、フロートのストローク長を一定に保つことができるため、容易に使用できると共に、信頼性及び安定性があるといった効果を奏する。
【００１３】
また、前記ストッパ機構が、フロートのストローク長を規制せしめるフロート戻しバネ及び／又はストローク規制用ストッパ若しくはフロート調整カラーであることによって、強制的にフロートを所期位置まで戻すことができるため、仮令従来の如き油の吐出量が多くてフロートにかかる抵抗が大きくなっても、また、油が間欠に流れた場合でも（フロートの戻りが慣性力により戻るため、間欠の間隔が短くなるにつれて）フロートが初期位置まで戻らない状態になってしまうといった従来の問題を解消でき、また、ストローク規制の構成が頗る単純であるため、大量生産に適し、価格も低廉なものとして需用者に供給することができる。
【００１４】
更に、オイル出口の近傍に同オイル出口よりも大径に開口されて余剰な油若しくは粘度のある油を排出せしめるバイパス管を設けたことによって、油を効率良く通すことができる分、安定してフロートを動作させることができる。
【００１５】
換言すれば、油の吐出量が多い場合若しくは粘度が高い場合など、出口の穴径が大きい方のバイパス管に油が流れるため、如何なる吐出量であってもフロートのストローク長を一定に保つことができるものであり、尚且つ、フロートをセンシングする際、センシングポイントもワンポイントになり、従来の如き調整が不要になるといった効果を奏するのである。
【発明を実施するための最良の形態】
【００１６】
フロートのストローク長を一定に保持するためのストッパ機構を設ける。このストッパ機構としては、フロートのストローク長を規制せしめるフロート戻しバネ及び／又はストローク規制用ストッパ若しくはフロート調整カラーが良く、延いては、前記オイル出口の近傍に同オイル出口よりも大径に形成されて余剰な油を排出せしめるバイパス管を設ける。
【実施例】
【００１７】
以下、本発明の第１実施例について、図１乃至図２を参照しながら説明する。図中Ａは本実施例に係るオイルフィードモニタであり、このオイルフィードモニタＡは、図２に示すように、オイル入口１とオイル出口２とを連通する管路３と、該管路３内に遊動自在に配置されたフロート４と、該フロート４のストローク長を一定に保持するためのストッパ機構５とを備えている。
【００１８】
フロート４は、管路３の内径よりも僅かに小さい鉄製のフロート（例えば、比重が潤滑油より大きい鋼球）からなり、オイル入口１とオイル出口２とを連通する管路３内に遊動自在に配置されると共に、同フロート４のストローク長を一定に保持するためのストッパ機構５を備えている。
【００１９】
ストッパ機構５は、例えば、フロート４のストローク長を規制せしめるフロート戻しバネからなり、その下位に組み付けられたストローク規制用ストッパ６を備えている。尚、図中７はセンサ（近接スイッチ)である。
【００２０】
このように構成される本実施例のオイルフィードモニタは、仮令、吐出量が可変しても、ストッパ機構５の規制でフロート４のストローク長を一定に保つことができるため、換言すれば、強制的にフロートを所期位置まで戻すことができるため、従来の如き油の吐出量が多くてフロートにかかる抵抗が大きくなっても、また、油が間欠に流れた場合でも（フロートの戻りが慣性力により戻るため、間欠の間隔が短くなるにつれて）フロートが初期位置まで戻らない状態になってしまうといった従来の問題を解消することができ、また、フロート４が機械的動作であることも相俟って、信頼性及び安定性に優れるといった利点を有する。
【００２１】
次に、本発明の第２実施例を図３乃至図４を参照しながら説明する。尚、理解を容易にするため、前述した第１実施例と同一部分は同一符号で示し、構成の異なるところのみを新たな番号を付して以下に説明する。
【００２２】
図中Ｂは本実施例に係るオイルフィードモニタであり、このオイルフィードモニタＢは、図４に示すように、オイル入口１とオイル出口２とを連通する管路３と、該管路３内に遊動自在に配置されたフロート４とを備えている。
【００２３】
フロート４は、オイル入口１とオイル出口２とを連通する管路３内に遊動自在に配置されると共に、第１実施例と同様、同フロート４のストローク長を一定に保持するためのストッパ機構５を備えている。
【００２４】
ストッパ機構５は、フロート４のストローク長を規制せしめるフロート戻しバネからなり、かつ、その下位にフロート調整カラー９が組み付けられている。
【００２５】
更に、前記オイル出口２の近傍には、同オイル出口２よりも大径に形成されたバイパス管８が連通されており、余剰な油若しくは粘度のある油を排出せしめることができる。
【００２６】
このように構成される本実施例のオイルフィードモニタは、オイル出口２の近傍に同オイル出口２よりも大径に開口されたバイパス管８を連通させたことによって、油を効率良く通過させることができる分（ストッパ機構５と協働して）フロート４を安定的に動作させると共に、油の吐出量が多い場合若しくは粘度が高い場合など、出口の穴径が大きい方のバイパス管８に油が流れるため、如何なる吐出量であってもストローク長を一定に保つことができるのである。
【００２７】
尚、本発明は本実施例に限定されることなく、本発明の目的の範囲内で自由に設計変更し得るものであり、本発明はそれらの全てを包含するものである。
【図面の簡単な説明】
【００２８】
【図１】本発明のオイルフィードモニタの第１実施例を示すシステム図である。
【図２】同実施例のオイルフィードモニタを示す説明図である。
【図３】本発明のオイルフィードモニタの第２実施例を示すシステム図である。
【図４】同実施例のオイルフィードモニタを示す説明図である。
【符号の説明】
【００２９】
１  オイル入口
２  オイル出口
３  管路
４  フロート
５  ストッパ機構
６  ストローク規制用ストッパ
７  センサ(近接スイッチ)
８  バイパス管
９  フロート調整カラー
【図１】
2008298440.tif 000003
【図２】
2008298440.tif 000004
【図３】
2008298440.tif 000005
【図４】
2008298440.tif 000006